(57)【要約】【課題】吸着剤容量を増加させることなく高い防毒効果を示すガスマスク用吸着缶を提供する。【解決手段】有毒ガス用吸着剤を充填してなるガスマスク用吸着缶において、吸着層の上流側の開口部の吸着層の外周部対応部分及び／又は吸着層の内部の吸着層外周部対応部分に非通気性部材を配する。【選択図】なし 【特許請求の範囲】
【請求項１】
有毒ガス用吸着剤を充填してなるガスマスク用吸着缶において、吸着層の上流側の開口部の吸着層の外周部対応部分及び／又は吸着層の内部の吸着層外周部対応部分に非通気性部材を配してなることを特徴とするガスマスク用吸着缶。
【請求項２】
有毒ガスが化学吸着性ガスである請求項１記載のガスマスク用吸着缶。
【請求項３】
化学吸着性ガスがアルカリ性ガスである請求項２記載のガスマスク用吸着缶。
【請求項４】
吸着缶本体が円筒状の形状をもち、非通気性部材が幅をもつ環状の非通気性部材からなる請求項１〜３記載のガスマスク用吸着缶。
【発明の詳細な説明】
【技術分野】
【０００１】
本発明は有毒ガス環境下で従事する作業者の有毒ガス吸入を防ぐことを目的としたガスマスクに用いる吸着缶に関する。
【背景技術】
【０００２】
一般に防毒マスク用吸着缶については、例えば有機溶剤を取り扱う作業に用いる場合は有機ガス用の吸着缶、アンモニアを取り扱う化学工場やし尿処理などの作業に用いる場合はアンモニア用の吸着缶というように使用する場所で発生しているガスの種類それぞれに対応した吸着剤を充填した吸着缶を使用することが多く、発生しているガスの種類が具体的に何か知ることが効果的な防毒マスクの使用にとって望ましい。
【０００３】
一方、近年化学工場での事故やテロ災害等のような発生するガスの種類が不明である場合に違う性状のガスに対しても一種類の吸着缶で効果をもつ、兼用（マルチ）タイプの吸着缶に対する需要が大きくなりつつある。そのような吸着缶に充填する吸着剤として、一般的な活性炭を担体に用いた添着剤からなる有機ガス／アルカリ性ガス兼用吸着剤が知られているが、この場合は有機ガスに対する除毒能力と比べてアンモニアに代表されるようなアルカリ性ガスに対する除毒能力が低いことから、発生しているガスの種類が判別できない状況での使用が仮定されるマルチタイプ用の吸着缶に複数の有毒ガスに対して目的とする規定の除毒能力を持たせる場合に吸着しづらい有毒ガスにあわせて吸着缶を大きく設計せねばならず、また目的とするアルカリ性ガスに対する除毒能力を得ようとした場合、吸着剤容量を増やす必要があり、結果として吸着缶が大きく重くなり、また吸気抵抗も上昇するため使用者に対して負担となる。また吸着剤容量を多くすると吸着缶にかかるコストも高くなるというデメリットを持つ。
【発明の開示】
【発明が解決しようとする課題】
【０００４】
本発明の目的は吸着缶内部を通過するガスと吸着剤との接触効率を高めることにより吸着剤容量を増加させることなく、高い除毒能力を示し、通気抵抗も小さいガスマスク用吸着缶を提供することにある。
【課題を解決するための手段】
【０００５】
本発明は有毒ガス用吸着剤を充填してなるガスマスク用吸着缶において、吸着層の上流側の開口部の吸着層の外周部対応部分及び／又は吸着層の内部の吸着層外周部対応部分に非通気性部材を配してなるガスマスク用吸着缶である。
【発明の効果】
【０００６】
本発明により、吸収層の上流側の開口部における吸着層の外周部に相当する部分及び／又は吸着層の内部における吸着層の外周部に相当する部分に非通気性部材を配してその部分の吸着層断面の有効面積即ちその部分における外部からの流入ガスと直接接触する吸着層の断面積を小さくすることによって、意外にも吸着缶内部を通過するガスの偏流が防止され、吸着缶内部を通過するガスと吸着剤の接触効率が高められ、吸着剤の容量を増やして吸着缶の層高を増す場合と比較して、低通気抵抗にて、高い防毒効果を得ることができ、その結果、使用者に対し軽量で安価な吸着缶を提供できる。
【発明を実施するための最良の形態】
【０００７】
以下、図面を用いて本発明を説明する。
図１は本発明のガスマスク用吸着缶の一例を示す断面図である。
【０００８】
１は吸着缶本体であり、上部が吸着缶の上流側であり、下部が吸着缶の下流側である。吸着缶本体１は上流側端部に開口部を有する。この開口部は外部からのガスの流れを受け入れるものであり、通常吸着缶本体１の端部全断面に亘って０．２〜２ｃｍ２程度の多数の小開口からなる開口が設けられている。吸着缶本体１は通常この開口をもつ端部を備えた形で一体成形される。例えば吸着缶はこの開口をもつ端部を備えた吸着缶本体１の上流側を底にして通気性シート２を配し、吸着剤３を充填し、通気性シート４を配し、最後に下流側部材５を吸着缶本体１に接合する。通気性シート２，４としては通常不織布が用いられる。下流側部材５としては中央部に有毒成分を吸着除去した後の清浄空気をマスク内に供給するための開口と吸着缶をマスクに取りつける構造を備えたものが用いられる。
【０００９】
本発明では、このような構成をもつ吸着缶本体１の上流側の開口と通気性シート２との間の周辺部に非通気性部材６を配する。この非通気性部材６は吸着剤３の層内部に配することも可能である。この場合は上流側の開口部から吸着層の中間部程度までの位置であることが好ましい。この非通気性部材６は吸着缶本体の外周に沿ってある幅をもって配される。吸着缶本体が図１に示す円筒状の形状をもつ場合には、非通気性部材６は環状シートからなることが好ましい。この場合の環状シートの幅は吸着缶本体の半径の０．１〜０．５倍程度が好ましい。非通気性部材は使用状態でガスを実質的に通過しなければよく、濾紙やプラスチックシート等の適宜の材料で形成しうる。非通気性部材は上流側の開口部に一体的に形成すること等も可能である。
【００１０】
本発明の吸着缶は基本的には粉粒状吸着剤を用いるタイプの吸着缶に適用可能であり、吸着剤の種類としては、活性炭、シリカゲル、ゼオライト、モレキュラーシーブ、活性アルミナ等の無機多孔性体やそれらに適宜の薬品を担持した添着品を典型例として挙げることができる。
【００１１】
吸着のタイプとしても、ベンゼン、トルエン、シクロヘキサン等の有機ガスを細孔内に物理的に吸着する物理吸着、アルカリ性ガスや酸性ガスの化学反応を伴った化学吸着のいずれにも適用可能であるが、本発明の吸着缶は吸着速度の遅い吸着に対して特に効果的であり、化学吸着、特にアルカリ性ガス吸着に対して効果が大きい。
【００１２】
化学吸着の例としては、炭化温度の低い活性炭表面に存在するカルボキシ性基やフェノール基等の酸性を示す官能基に対してアンモニアに代表されるアルカリガスの吸着や、炭化温度の高い活性炭表面に存在するカルボニル基のようなアルカリ性を示す官能基と硫化水素などに代表される酸性ガスの吸着、リン酸などの酸性の薬品を添着した活性炭に対するアルカリ性ガスの吸着等が挙げられる。これらの吸着は化学反応が伴うため吸着の速度が遅い。
【００１３】
次に実施例に基いて本発明を説明する。
実施例で用いた除毒試験条件は次のとおりである：
試験ガス濃度    ２５００ｐｐｍ
破過基準濃度    １２．５ｐｐｍ
試験流量        ３０  ｌ／ｍｉｎ
試験温湿度      ２０℃  ５０％ＲＨ
【実施例１】
【００１４】
まず比較実施例として、吸着剤として活性炭（酸性薬品添着品）を使用し、図１に示す吸着缶において非通気性部材６のない吸着缶の吸着層の高さを変更してアンモニアガスに対して除毒試験を行った。結果を表１に示す。
【００１５】
【表１】
2005237809.tif 000002
【実施例２】
【００１６】
非通気性部材６（環状濾紙）を配する以外は実施例１と同様にして、吸着層上部の開口面積を変更させてアンモニアガス（及びシクロヘキサン）に対する除毒試験を行った。結果を表２に示す。
【００１７】
【表２】
2005237809.tif 000003
【実施例３】
【００１８】
非通気性部材６（環状濾紙）を配する以外は実施例１と同様にして、吸着層内部の面積を変更してアンモニアガスに対する除毒試験を行った。結果を表３に示す。
【００１９】
【表３】
2005237809.tif 000004
【実施例４】
【００２０】
アンモニアを吸着することによって変色するように調製した吸着剤を用い、非通気性部材６を用いた場合と用いない場合についてアンモニアガスに対する除毒試験を行った。
【００２１】
また除毒試験終了後に吸着剤を取りだしてアンモニアの吸着によって変色している吸着剤の割合について調べ、非通気性部材のある場合とない場合について有効利用されている吸着剤の容量の比について求めた。
【００２２】
吸着剤    １０％（ｗ／ｗ）ＣｕＳＯ４添着シリカゲル（１０〜２０ｍｅｓｈ）
試験サンプル
試験吸着缶    内径９４ｍｍ、    吸着層高４２．０ｍｍ
これらの結果を表４に示す。
【００２３】
【表４】
2005237809.tif 000005
【図面の簡単な説明】
【００２４】
【図１】本発明のガスマスク用吸着缶の一例を示す断面図。
【符号の説明】
【００２５】
１  吸着缶本体
２，４  通気性シート
３  吸着剤
５  下流側部材
６  非通気性部材
【図１】
2005237809.tif 000006